(57)【特許請求の範囲】
【請求項１】
クラムシエル本体の支持フレームへの取付ボスと、開閉作動リンクへの取付ボスを有する左右一対のバケツトユニツトからなるクラムシエルアタツチメントのグラブユニツトにおいて、半円筒状側板で構成したバケツト本体の下端弦側を、先端縁がバケツト横幅方向に水平で、且つ、この水平縁の内側所定巾が左右バケツト閉鎖時に相対して略水平方向へ移動して閉じる水平エツジ板面に形成し、この水平エツジ板面と前記半円筒状側板間に底板を形成した左右一対のバケツトユニツトからなり、各々のバケツトユニツトの下端弦側を対向させて各バケツトユニツトのサイドプレートに形成したボスを前記クラムシエルアタツチメントの支持フレームに軸着し、半円筒側板に形成したボスを開閉作動リンクに軸着するようにしたことを特徴とするクラムシエルアタツチメントのグラブユニツト
【発明の詳細な説明】
【０００１】
【発明の属する技術分野】
本発明は、パワーシヨベルなどの土工機械本体のアーム先端等に懸下してマンホール内の土砂、泥などをすくい、搬出するクラムシエルアタツチメントのグラブユニツトに関する。
【０００２】
【発明が解決しようとする課題】
クラムシエルアタツチメントは、図５〜図７に示すように、一対のバケツトユニツト４、４を左右対向させて支持フレーム３の下部に揺動自在に軸着し、油圧シリンダ５で上下駆動される作業リンク７で一対のバケツトユニツト４、４を開閉することによって土砂、泥を両側からすくい上げて搬出するものであるが、従来、この種のクラムシエルのグラブユニツトは、図のように、一対の概略半球体のバケツトユニツトを揺動自在に向い合せてグラブユニツト４、４を構成しているため、相対的に土砂収納容積が少なく、また、バケツトユニツト４、４の下辺が円形であるためマンホール内の平らなコンクリート床に沿って土砂を残さずにすくうことができないという問題があった。
【０００３】
従って、本発明の目的は、マンホールを通すときの径を増大させずにバケツトの収納容積を相対的に大きくすることができるとともに、平らなコンクリート床に沿って土砂を残さずにすくうことができるクラムシエルアタツチメントの新規なグラブユニツトを提供することにある。
【０００４】
【課題を解決するための手段】
上記目的を達成するために、本発明のクラムシエルのグラブユニツトは、クラムシエル本体の支持フレームへの取付ボスと、開閉作動リンクへの取付ボスを有する左右一対のバケツトユニツトからなるクラムシエルアタツチメントのグラブユニツトにおいて、半円筒状側板で構成したバケツト本体の下端弦側を、先端縁がバケツト横幅方向に水平で、且つ、この水平縁の内側所定巾が左右バケツト閉鎖時に相対して略水平方向へ移動して閉じる水平エツジ板面に形成し、この水平エツジ板面と前記半円筒状側板間に底板を形成した左右一対のバケツトユニツトからなり、各々のバケツトユニツトの下端弦側を対向させて各バケツトユニツトのサイドプレートに形成したボスを前記クラムシエルアタツチメントの支持フレームに軸着し、半円筒側板に形成したボスを開閉作動リンクに軸着するようにしたことを特徴とする。
【０００５】
【発明の実施の形態】
以下、本発明の実施例を添付図面に基づいて説明する。
図１乃至図４に示すように、パワーシヨベル等の土工機械本体のアームに懸下するクラムシエルアタツチメント１は、土工機械本体（図示せず）への取付部２を有する支持フレーム３の下部に、グラブユニツトを構成する左右一対のバケツトユニツト４、４の左右サイドプレートに設けたボスを揺動自在に軸着するとともに、支持フレーム３の中心に油圧シリンダ５を固定し、油圧シリンダ５の可動部材６とバケツトユニツト４、４の半円筒形側板のボスを一対のリンク７、７で連結してある。かくして、油圧シリンダ５を伸縮してリンク７、７を介して一対のバケツトユニツト４、４を相反する方向に揺動させることにより、グラブユニツトが開閉するようになっている。
【０００６】
本発明のクラムシエルアタツチメントのグラブユニツトを構成する一対のバケツトユニツト４、４は、図１乃至図４に示すように、半円筒状の側板９の下端弦側に、土砂等をすくうための水平エツジ板面１０を固定するとともに、この水平エツジ板面１０と前記側板９の下端間に底板１１を形成した構造になっている。
【０００７】
バケツトユニツト４は開放縁の左右サイドプレート１２、１２の上部にクラムシエルアタツチメント本体の支持フレーム３に軸着するためのボス１３、１３が一体に形成されているとともに、半円筒状側板９と一体のブラケットにクラムシエルアタツチメント１の作動リンク７に軸着するためのボス１４が一体形成されている。
尚、左右のサイドプレート１２、１２には立て方向の補強プレート１５が溶接されているとともに、サイドプレート１２、１２の上面に、支持フレーム３の係止ブラケツト１６に径合するストツパ１７が固着されている。
【０００８】
かくして、本発明のグラブユニツトは、図１及び図２のように、左右一対のバケツトユニツト４、４をそのすくい用水平エツジ板面１０が向き合うようにして対向させ、サイドプレート１２、１２のボス１３、１３をクラムシエルアタツチメント１本体の支持フレーム３下部に揺動自在に軸着するとともに、半円筒状側板９のボス１４をクラムシエルアタツチメント１本体の作動リンク７に軸着してグラブユニツトに組み付けられる。
【０００９】
本発明のグラブユニツトは上記の構成になるので、クラムシエルアタツチメント１のシリンダ５の可動部材６に固定されたリンク７を引き上げると、図１、図２に仮想線で示すように、左右のバケツトユニツト４、４が開く。
開いた状態のバケツトユニツト４、４をマンホールの床に接近させてリンク７を押し下げるとバケツトユニツト４、４の相対する水平エツジ板面１０、１０がマンホールの床に沿って引き寄せられ、一対のバケツトユニツト４、４からなるグラブユニツトが土砂や泥をすくい上げ、円筒体のグラブユニツト内に収納されてマンホールから搬出される。
【００１０】
【効果】
本発明のグラブユニツトは、バケツトユニツトの側板が半円筒形であり、左右のバケツトユニツトが閉じたときに円筒形になるので容積が相対的に大きくなり、土砂搬出の作業能率が向上する。特に、半円筒側板を長くすることにより、容積を大きくすることができるとともに、すくい幅が広範囲になる。しかも、側板を長くしてもグラブユニツトを閉じた時の径は変わらないのでマンホールを通過させるのに何ら不都合がない。
【００１１】
グラブユニツトのすくい用水平エツジ板面が水平なので水平エツジ板面の全辺がマンホールの床に接触し、土砂を残さずにすくい上げることができるとともに、バケツトのすくい水平エツジ板面の角部が方形になっているので、グラブユニツトの開口幅及び容量が大きくなる。
【図面の簡単な説明】
【図１】  本発明によるグラブユニツトを使用したクラムシエルアタツチメントの正面図
【図２】  本発明のグラブユニツトの平面図
【図３】  図１の側面図
【図４】  本発明のグラブユニツットを構成するバケツトユニツトの平面図
【図５】  従来のクラムシエルアタツチメントの図１相当図
【図６】  従来のクラムシエルアタツチメントの図３相当図
【図７】  従来のクラムシエルアタツチメントの図２相当図
【符号の説明】
１…クラムシエルアタツチメント
２…取付部
３…支持フレーム
４…バケツトユニツト
５…油圧シリンダ
６…油圧シリンダ可動部材
７…リンク
９…半円筒状側板
１０…水平エツジ板面
１１…底板
１２…サイドプレート
１３…ボス
１４…ボス
１５…補強プレート
１６…係止ブラケツト
１７…ストツパ
【図１】
0004034398.tif 000002
【図２】
0004034398.tif 000003
【図３】
0004034398.tif 000004
【図４】
0004034398.tif 000005
【図５】
0004034398.tif 000006
【図６】
0004034398.tif 000007
【図７】
0004034398.tif 000008